(57)【要約】【課題】  衣服の袖通しが容易で、しかも品質や使い勝手を長期間維持できる衣服用ハンガー装置を提供する。【解決手段】  フック１６を備えたフレーム１５の左右部分に衣服の袖部分を通す左右の腕部材１１をその中間位置で揺動自在に枢着し、左右の腕部材１１同士をその基端部で回動自在に枢着し、左右の腕部材１１同士の枢着部及びフレーム１５の前後部分にカム１４を備えたカム軸１３を回転且つ上下移行可能に連通し、フレーム１５の左右部分の内側にカム１４の拡径部分と接触する突起１５ｂを上下に設け、カム軸１３の回転でカム１４をフレーム１５の突起１５ｂに当接させてカム軸１３を上下方向に移行させて左右の腕部材を上方へ展開又は下方へ折り畳みできるようにした。【選択図】図７
2007151784.tif 000002
【特許請求の範囲】
【請求項１】
フックを備えたフレームの左右部分に衣服を通す左右の腕部材をその中間位置で揺動自在に枢着し、左右の腕部材同士をその基端部で回動自在に枢着し、左右の腕部材同士の枢着部及びフレームの前後部分にカムを備えたカム軸を回転且つ上下移行可能に連通し、フレームの左右部分の内側にカムの拡径部分と接触する突起を設け、カム軸の回転でカムをフレームの突起に当接させてカム軸を上下方向に移行させて左右の腕部材を上方へ展開又は下方へ折り畳みできるようにしたことを特徴とする、衣服用ハンガー装置。
【請求項２】
フックを備えたフレームの左右部分に衣服を通す左右の腕部材をその中間位置で揺動自在に枢着し、左右の腕部材の基端部同士を枢着部材で回動自在に枢着し、フレームの前後部分に押え板を突設した回転軸を連通し、フレームの底部に枢着部材の下方への移行量を規制する底板を設け、回転軸の回転で押え板を枢着部材の上面に当接させて下方へ押し付け、左右の腕部材を上方へ展開させて押え板と底板で挟むようにして腕部材の展開状態を解除可能に保持できるようにしたことを特徴とする、衣服用ハンガー装置。
【請求項３】
フレームの左右部分のいずれか又は双方に小フックを取り付け、フックと小フックを同位置に吊下して腕部材を傾斜させて側方からの衣服の脱着を容易にした、請求項１又は２記載の衣服用ハンガー装置。
【請求項４】
左右の腕部材を前後方向に複数組連設した、請求項１〜３いずれか記載の衣服用ハンガー装置。
【発明の詳細な説明】
【技術分野】
【０００１】
本発明は、洗濯した衣服を物干し竿に吊り下げて干したり、衣服をクローゼット等に吊り下げて収容したりするための衣服用ハンガー装置に関する。
【背景技術】
【０００２】
従来の衣服用ハンガー装置としては、衣服を通すための左右一対の腕部とその上部に所定場所に吊り下げるためのフックを備えた構造のものが一般的である。ところで、衣服をハンガーに掛けたり外したりする際は、衣服の種類・形状によっては左右に通すために襟首の開口部分を大きく広げる必要があり、脱着し難く衣服を傷める場合もあった。
【０００３】
そこで、左右の腕部を基端部同士で回動自在に枢着し、板バネの付勢力で左右の腕部の展開を保持するとともに腕部を下方へ折り畳み可能にして襟首の開口部分を通し易くした技術が特許文献１で開示されている。しかし、この技術は付勢に板バネを用いるから、バネ類は徐々に付勢力が低下して品質や使い勝手を長期間維持することは難しいものであった。
【特許文献１】特開２００４−１６７１１３号公報
【発明の開示】
【発明が解決しようとする課題】
【０００４】
本発明が解決しようとする課題は、従来のこれらの問題点を解消し、衣服の脱着が容易で、しかも品質や使い勝手を長期間維持できる衣服用ハンガー装置を提供することにある。
【課題を解決するための手段】
【０００５】
かかる課題を解決した本発明の構成は、
１）フックを備えたフレームの左右部分に衣服を通す左右の腕部材をその中間位置で揺動自在に枢着し、左右の腕部材同士をその基端部で回動自在に枢着し、左右の腕部材同士の枢着部及びフレームの前後部分にカムを備えたカム軸を回転且つ上下移行可能に連通し、フレームの左右部分の内側にカムの拡径部分と接触する突起を設け、カム軸の回転でカムをフレームの突起に当接させてカム軸を上下方向に移行させて左右の腕部材を上方へ展開又は下方へ折り畳みできるようにしたことを特徴とする、衣服用ハンガー装置。
２）フックを備えたフレームの左右部分に衣服を通す左右の腕部材をその中間位置で揺動自在に枢着し、左右の腕部材の基端部同士を枢着部材で回動自在に枢着し、フレームの前後部分に押え板を突設した回転軸を連通し、フレームの底部に枢着部材の下方への移行量を規制する底板を設け、回転軸の回転で押え板を枢着部材の上面に当接させて下方へ押し付け、左右の腕部材を上方へ展開させて押え板と底板で挟むようにして腕部材の展開状態を解除可能に保持できるようにしたことを特徴とする、衣服用ハンガー装置。
３）フレームの左右部分のいずれか又は双方に小フックを取り付け、フックと小フックを同位置に吊下して腕部材を傾斜させて側方からの衣服の脱着を容易にした、前記１）又は２）記載の衣服用ハンガー装置
４）左右の腕部材を前後方向に複数組連設した、前記１）〜３）いずれか記載の衣服用ハンガー装置
にある。
【発明の効果】
【０００６】
本発明の請求項１記載の構成によれば、カム軸を回転させるとカムがフレームの突起に当接してカム軸が上下方向へ移行し、左右の腕部材がフレームの枠部材との枢着部分を支点に揺動して左右へ展開又は下方へ折り畳まれ、吊下場所に吊り下げた状態で衣服の脱着が行える。また、従来のようなバネ類の付勢力を利用しないから品質や使い勝手を長期間維持できる。
【０００７】
また、本発明の請求項２記載の構成によれば、回転軸を回転させると押え板が枢着部材を下方へ押し付け、左右の腕部材がフレームの枠部材との枢着部分を支点に揺動して左右へ展開して押え板と底板で挟むようにして腕部材の展開状態を保持し、従来のようなバネ類の付勢力を利用しないから品質や使い勝手を長期間維持できる。
【発明を実施するための最良の形態】
【０００８】
本発明では、フレームの左右部分のいずれか又は双方に小フックを取り付け、フックと小フックを同位置に吊下して腕部材を傾斜させて側方からの衣服の脱着を容易にできる。以下、本発明の各実施例を図面に基づいて具体的に説明する。
【実施例１】
【０００９】
図１〜７に示す実施例１は、カム軸の回転で左右の腕部材を揺動させて展開又は折り畳みできるようにした衣服用ハンガー装置の例である。図１は実施例１の衣服用ハンガー装置の説明図、図２は実施例１の衣服用ハンガー装置の平面図、図３は図２のＡ−Ａ及びＢ−Ｂ断面図、図４，５は実施例１の枢着部材の説明図、図６，７は実施例１の腕部材の折り畳み及び展開を示す説明図である。図中、１０は衣服用ハンガー装置、１１は腕部材、１１ａは枢着基部、１１ｂは揺動基部、１２は枢着部材、１２ａは挿入部、１２ｂは係止部、１２ｃは連通穴、１３はカム軸、１３ａは操作部、１４はカム、１５はフレーム、１５ａはガイド穴、１５ｂは突起、１６はフックである。
【００１０】
実施例１の衣服用ハンガー装置１０は、図１に示すように衣服Ｔの袖部分に通す肩口までの長さの腕部材１１は左右一対で構成され、その基端部に円形の枢着基部１１ａが形成され、先端部は衣服Ｔに通し易いように若干丸みをつけ、上部の中間位置にフレーム１５に枢着する揺動基部１１ｂが開口され、図２に示すように４組の腕部材１１がフレーム１５に取り付けられている。枢着部材１２は図４，５に示すように断面略Ｕ字状で、内側の挿入部１２ａに左右の腕部材１１の枢着基部１１ａを両側から挿し込んで係止部１２ｂで脱離しないようにして左右に移動可能にし、フレーム１５の左右部分に左右の腕部材１１の揺動基部１１ｂを枢着し、カム１４を備えたカム軸１３をフレーム１５のガイド穴１５ａと枢着部材１２の連通穴１２ｃに連通し、その端部にカム軸１３を回すダイヤル状の操作部１３ａを取り付ける。フレーム１５の前後の内面には図３（ａ），（ｂ）に示すようにカム１４の拡径部分と当接する突起１５ｂを上下に形成している。
【００１１】
使用時は、図６（ａ），図７（ａ）に示すように操作部１３ａを回すとカム軸１３が回転し、カム１４の拡径部分がフレーム１５の突起１５ｂに当接し、さらに回すとカム軸１３がガイド穴１５ａに沿って上方へ移行する。これにより枢着部材１２が上方へ移行して左右の腕部材１１が下方へ折り畳まれ、衣服Ｔを襟首の開口を大きく広げることなく容易に通して掛けることができる。干す際は、操作部１３ａを逆方向へ回してカム１４を元の位置に戻すと、カム軸１３が下方へ移行して図６（ｂ），図７（ｂ）に示すように左右の腕部材１１が左右へ展開して衣服Ｔを掛けた状態に保持され、物干し竿Ｂにフック１６で吊り下げる。衣服Ｔを外す際は、図６（ａ），図７（ａ）に示すように操作部１３ａを回してカム１４をフレーム１５の突起１５ｂに当接させ、カム軸１３が上方へ移行して左右の腕部材１１が下方へ折り畳まれ、衣服Ｔを外すことができる。
【００１２】
図８，９に示すのは、フレームに小フックを取り付けた実施例１の他の例である。図８は実施例１の他の例の衣服用ハンガー装置の説明図、図９は実施例１の他の例の衣服用ハンガー装置の使用状態を示す説明図である。図中、１７は小フックである。図８，９に示す実施例１の他の例は、フレーム１５の右側に小フック１７を回動可能に取り付け、小フック１７を物干し竿Ｂに吊下して全体をおよそ４５度角に傾斜させ、図９における右側（例えば窓際）からの衣服Ｔの脱着を容易に行えるようにしている。その他、符号、構成、作用効果は実施例１と同じである。
【００１３】
図１０に示すのは、左右の腕部材を前後方向に４組連設した実施例１の他の例である。図１０は実施例１の他の例の腕部材の斜視図である。図中、１１ｃは接続部材である。図１０に示す実施例１の他の例では、８体の腕部材１１の基部同士を棒状の接続部材１１ｃで連設し、枢着基部１１ａは前後の４体の腕部材１１のみに形成している。この例は接続部材１１ｃに長尺の物を使用することで２体の枢着部材１２のみで腕部材１１を所望の本数に増やすことができ、しかも枢着基部１１ａは前後の４体のみで構造をシンプルにできる。その他、符号、構成、作用効果は実施例１と同じである。
【００１４】
図１１，１２に示すのは、実施例１の左右の腕部材同士の枢着構造の他の例である。図１１は実施例１の他の例の腕部材の斜視図、図１２は実施例１の他の例の腕部材の揺動を示す説明図である。図１１，１２に示す実施例１の他の例は、腕部材１１の枢着基部１１ａが楕円状に開口されており、カム軸１３を連通することで、カム軸１３が枢着基部１１ａの楕円内で動いて腕部材１１同士の枢着及び揺動を円滑に維持できるようにしている。この例は実施例１の枢着部材１２を省略して簡易な構造にでき、低コストで実施できる。その他、符号、構成、作用効果は実施例１と同じである。
【実施例２】
【００１５】
図１３〜１９に示す実施例２は、回転軸に有する押え板で腕部材の枢着部材を下方へ押し付けて腕部材の展開状態を保持できるようにした衣服用ハンガー装置の例である。図１３は実施例２の衣服用ハンガー装置の説明図、図１４は実施例２の衣服用ハンガー装置の平面図、図１５，１６は実施例２の枢着部材の説明図、図１７は実施例２の回転軸の斜視図、図１８，１９は実施例２の腕部材の折り畳み及び展開を示す説明図である。図中、２０は衣服用ハンガー装置、２１は腕部材、２１ａは枢着基部、２１ｂは揺動基部、２２は枢着部材、２２ａは挿入部、２２ｂは係止部、２３は回転軸、２３ａは操作部、２３ｂ，２３ｃは押え板、２５はフレーム、２５ａは軸穴、２５ｂは底板、２５ｃは突起、２６はフックである。
【００１６】
実施例２の衣服用ハンガー装置２０は、図１３に示すように衣服Ｔの袖部分を通す肩口までの長さの腕部材２１は左右一対で構成され、その基端部に円形の枢着基部２１ａが形成され、先端部は衣服Ｔに通し易いように若干丸みをつけ、上部の中間位置にフレーム２５に枢着する揺動基部２１ｂが開口され、図１４に示すように４組の腕部材２１がフレーム２５に取り付けられている。枢着部材２２は図１５，１６に示すように断面略Ｕ字状で、内側の挿入部２２ａに左右の腕部材２１の枢着基部２１ａを両側から挿し込んで係止部２２ｂで脱離しないようにし、フレーム２５の左右部分に左右の腕部材２１の揺動基部２１ｂを枢着し、図１７に示すように高さの異なる押え板２３ｂ，２３ｃをそれぞれ直角位置に備えた回転軸２３をフレーム２５の軸穴２５ａに連通し、その端部に回転軸２３を回すダイヤル状の操作部２３ａを取り付ける。フレーム２５の底部には枢着部材２２の下方への移行量を規制する底板２５ｂを設け、フレーム２５の枢着部材２２の上方位置には腕部材２１の基部の回動量を規制する突起２５ｃを設けている。
【００１７】
使用時は、図１８（ａ），図１９（ａ）に示すように回転軸２３の押え板２３ｂ，２３ｃが枢着部材２２から離れている場合は、枢着部材２２は上方へ移行して左右の腕部材２１が遊びを有した状態で自重により下方へ折り畳まれ、衣服Ｔの襟首の開口を大きく広げることなく容易に通して掛けることができる。図１８（ｂ），図１９（ｂ）に示すように操作部２３ａで回転軸２３を時計廻りに回すと高さの低い押え板２３ｂが枢着部材２２の上面と当接して下方へ押し付け、左右の腕部材２１が中間位置まで展開される。この中間位置は背広等の衣服Ｔが掛け易いものである。図１８（ｃ），図１９（ｃ）に示すように操作部２３ａをさらに回すと高さの高い押え板２３ｃが枢着部材２２を下方へさらに押し付け、腕部材２１を完全に展開させて押え板２３ｃと底板２５ｂで挟むようにして固定し、衣服Ｔを掛けた状態を保持できる。
【００１８】
図２０に示すのは、フレームに小フックを取り付けた実施例２の他の例である。図２０は実施例２の他の例の衣服用ハンガー装置の説明図である。図中、２７は小フックである。図２０に示す実施例２の他の例は、図８，９に示す実施例１の他の例と同様にフレーム２５の右側に小フック２７を回動可能に取り付け、小フック２７を物干し竿Ｂに吊下して全体をおよそ４５度角に傾斜させ、図２０における右側（例えば窓際）からの衣服Ｔの脱着を容易に行えるようにしている。その他、符号、構成、作用効果は実施例２と同じである。
【産業上の利用可能性】
【００１９】
本発明の衣服用ハンガー装置は、物干し竿に吊下するものやクローゼット等に吊下して収容する用途に用いられる。
【図面の簡単な説明】
【００２０】
【図１】実施例１の衣服用ハンガー装置の説明図である。
【図２】実施例１の衣服用ハンガー装置の平面図である。
【図３】図２のＡ−Ａ及びＢ−Ｂ断面図である。
【図４】実施例１の枢着部材の説明図である。
【図５】実施例１の枢着部材の説明図である。
【図６】実施例１の腕部材の折り畳み及び展開を示す説明図である。
【図７】実施例１の腕部材の折り畳み及び展開を示す説明図である。
【図８】実施例１の他の例の衣服用ハンガー装置の説明図である。
【図９】実施例１の他の例の衣服用ハンガー装置の使用状態を示す説明図である。
【図１０】実施例１の他の例の腕部材の斜視図である。
【図１１】実施例１の他の例の腕部材の斜視図である。
【図１２】実施例１の他の例の腕部材の揺動を示す説明図である。
【図１３】実施例２の衣服用ハンガー装置の説明図である。
【図１４】実施例２の衣服用ハンガー装置の平面図である。
【図１５】実施例２の枢着部材の説明図である。
【図１６】実施例２の枢着部材の説明図である。
【図１７】実施例２の回転軸の斜視図である。
【図１８】実施例２の腕部材の折り畳み及び展開を示す説明図である。
【図１９】実施例２の腕部材の折り畳み及び展開を示す説明図である。
【図２０】実施例２の他の例の衣服用ハンガー装置の説明図である。
【符号の説明】
【００２１】
１０  衣服用ハンガー装置
１１  腕部材
１１ａ  枢着基部
１１ｂ  揺動基部
１１ｃ  接続部材
１２  枢着部材
１２ａ  挿入部
１２ｂ  係止部
１２ｃ  連通穴
１３  カム軸
１３ａ  操作部
１４  カム
１５  フレーム
１５ａ  ガイド穴
１５ｂ  突起
１６  フック
１７  小フック
２０  衣服用ハンガー装置
２１  腕部材
２１ａ  枢着基部
２１ｂ  揺動基部
２２  枢着部材
２２ａ  挿入部
２２ｂ  係止部
２３  回転軸
２３ａ  操作部
２３ｂ，２３ｃ  押え板
２５  フレーム
２５ａ  軸穴
２５ｂ  底板
２５ｃ  突起
２６  フック
２７  小フック
Ｂ  物干し竿
Ｔ  衣服
【図１】
2007151784.tif 000003
【図２】
2007151784.tif 000004
【図３】
2007151784.tif 000005
【図４】
2007151784.tif 000006
【図５】
2007151784.tif 000007
【図６】
2007151784.tif 000008
【図７】
2007151784.tif 000009
【図８】
2007151784.tif 000010
【図９】
2007151784.tif 000011
【図１０】
2007151784.tif 000012
【図１１】
2007151784.tif 000013
【図１２】
2007151784.tif 000014
【図１３】
2007151784.tif 000015
【図１４】
2007151784.tif 000016
【図１５】
2007151784.tif 000017
【図１６】
2007151784.tif 000018
【図１７】
2007151784.tif 000019
【図１８】
2007151784.tif 000020
【図１９】
2007151784.tif 000021
【図２０】
2007151784.tif 000022